(57)【要約】      （修正有）【課題】有機ＥＬディスプレイと発光部及び受光部等とがより薄く積層されているタッチ操作機能付ディスプレイユニット等を提供する。【解決手段】対面する少なくとも２枚の透光性を有する透光板１１，１２と、前記２枚の透光板間にて互いに対面させて配置され当該透光板よりも面積が狭い透光性を有する有機ＥＬディスプレイ１３と、前記２枚の透光板うちの一方の透光板の周端部に配置され、発光部を有する発光部材９１と受光部を有する受光部材９２とが前記一方の透光板の面内方向において互いに対向しているＩＲセンサー９と、を有し、前記一方の透光板は、前記２枚の透光板うちの他方の透光板より小さく形成されており、前記発光部材及び前記受光部材の一部と前記一方の透光板とが面内方向に並べて配置され前記発光部及び前記受光部は前記一方の透光板の面外方向において前記他方の透光板とは反対側に突出している。【選択図】図２
2019008213.tif 000002
【特許請求の範囲】
【請求項１】
対面する少なくとも２枚の透光性を有する透光板と、
前記２枚の透光板間にて互いに対面させて配置され当該透光板よりも面積が狭い透光性を有する有機ＥＬディスプレイと、
前記２枚の透光板うちの一方の透光板の周端部に配置され、発光部を有する発光部材と受光部を有する受光部材とが前記一方の透光板の面内方向において互いに対向しているＩＲセンサーと、
を有し、
前記一方の透光板は、前記２枚の透光板うちの他方の透光板より小さく形成されており、前記発光部材及び前記受光部材の一部と前記一方の透光板とが面内方向に並べて配置され前記発光部及び前記受光部は前記一方の透光板の面外方向において前記他方の透光板とは反対側に突出していることを特徴とするタッチ操作機能付ディスプレイユニット。
【請求項２】
請求項１に記載のタッチ操作機能付ディスプレイユニットであって、
前記２枚の透光板は互いの外周部間に非透光性の部材を有しており、
前記非透光性の部材の内周縁は、前記受光部よりも前記透光板の面内方向における中央側に位置していることを特徴とするタッチ操作機能付ディスプレイユニット。
【請求項３】
請求項２に記載のタッチ操作機能付ディスプレイユニットであって、
前記２枚の透光板間において前記有機ＥＬディスプレイによる表示領域の外側の領域は、前記非透光性の部材により覆われていることを特徴とするタッチ操作機能付ディスプレイユニット。
【請求項４】
請求項３に記載のタッチ操作機能付ディスプレイユニットであって、
前記非透光性の部材は、シート状の部材であることを特徴とするタッチ操作機能付ディスプレイユニット。
【請求項５】
請求項１乃至請求項４のいずれかに記載のタッチ操作機能付ディスプレイユニットであって、
前記ＩＲセンサーからの信号により検知される位置情報と、
前記有機ＥＬディスプレイ上の位置と、が対応付けられていることを特徴とするタッチ操作機能付ディスプレイユニット。
【請求項６】
請求項１乃至請求項５のいずれかに記載のタッチ操作機能付ディスプレイユニットであって、
前記他方の透光板は、Ｌｏｗ−Ｅガラスであることを特徴とするタッチ操作機能付ディスプレイユニット。
【請求項７】
請求項１乃至請求項６のいずれかに記載のタッチ操作機能付ディスプレイユニットの周端部が框に収容されていることを特徴とする障子。
【請求項８】
請求項７に記載の障子であって、
前記ＩＲセンサーは、上下方向において対向する前記発光部材と前記受光部材とのうちの前記受光部材が上側に配置されていることを特徴とする障子。
【請求項９】
請求項８に記載の障子であって、
前記框は合成樹脂製であることを特徴とする障子。
【請求項１０】
請求項１乃至請求項６のいずれかに記載のタッチ操作機能付ディスプレイユニットを備え、
躯体に固定される窓枠に支持されていることを特徴とする建具。
【請求項１１】
請求項１０に記載の建具であって、
前記窓枠は合成樹脂製であることを特徴とする建具。
【発明の詳細な説明】
【技術分野】
【０００１】
本発明は、透光性を有し画像等を表示可能なタッチ操作機能付ディスプレイユニット、障子及び建具に関する。
【背景技術】
【０００２】
透光性を有し画像等を表示可能な障子として、画像等を表示する透明ディスプレイを有するショーケースのガラスドアが知られている（例えば、特許文献１参照）。このガラスドアは、ガラスドアの複層ガラスを構成するガラス板の、中空層に臨む面の一部又は全面に有機ＥＬディスプレイなどの透明ディスプレイが設けられている。
【０００３】
また、タッチ操作機能付ディスプレイユニットを備える構成としては、発光部と入力センシング部とを積層した携帯端末が知られている（例えば、特許文献２参照）。この携帯端末は、筐体内にメイン基板が配置され、このメイン基板上にディスプレイ、タッチパネルが積層されており、タッチパネルに発光部及び入力センシング部が設けられている。
【先行技術文献】
【特許文献】
【０００４】
【特許文献１】国際公開第２０１４／１７５１９３号パンフレット
【特許文献２】特開２０１２−２０８８６４号公報
【発明の概要】
【発明が解決しようとする課題】
【０００５】
タッチ操作機能付ディスプレイユニットは、有機ＥＬディスプレイと発光部及び入力センシング部（受光部）等とが積層されて構成されるので、厚みが厚くなる。特に、複数のガラス板の中空層にディスプレイが設けられた複層ガラスに発光部及び受光部等を積層する場合には、厚みがより厚くなり、所定の筐体内に納められないという課題がある。
【０００６】
本発明は、かかる課題に鑑みてなされたものであり、その目的とするところは、有機ＥＬディスプレイと発光部及び受光部等とがより薄く積層されているタッチ操作機能付ディスプレイユニット、障子及び建具を提供することにある。
【課題を解決するための手段】
【０００７】
かかる目的を達成するために本発明のタッチ操作機能付ディスプレイユニットは、対面する少なくとも２枚の透光性を有する透光板と、前記２枚の透光板間にて互いに対面させて配置され当該透光板よりも面積が狭い透光性を有する有機ＥＬディスプレイと、前記２枚の透光板うちの一方の透光板の周端部に配置され、発光部を有する発光部材と受光部を有する受光部材とが前記一方の透光板の面内方向において互いに対向しているＩＲセンサーと、を有し、前記一方の透光板は、前記２枚の透光板うちの他方の透光板より小さく形成されており、前記発光部材及び前記受光部材の一部と前記一方の透光板とが面内方向に並べて配置され前記発光部及び前記受光部は前記一方の透光板の面外方向において前記他方の透光板とは反対側に突出していることを特徴とするタッチ操作機能付ディスプレイユニットである。
【０００８】
このようなタッチ操作機能付ディスプレイユニットによれば、ＩＲセンサーが有する発光部材のうちの発光部及び受光部材のうちの受光部が、２枚の透光板のうちの一方の透光板の面外方向に突出しているので、発光部材及び受光部材の全体が一方の透光板の面外方向に突出する場合より突出量を小さくすることが可能である。このため、タッチ操作機能付ディスプレイユニット全体の厚みをより薄くすることが可能である。このため、有機ＥＬディスプレイと発光部及び受光部等とがより薄く積層されているタッチ操作機能付ディスプレイユニット、また、発光部材及び受光部材は、２枚の透光板のうちの他方より小さく形成されている一方の透光板と面内方向に並べて配置されているので、タッチ操作機能付ディスプレイユニットの外形形状もより小さく抑えることが可能である。
【０００９】
かかるタッチ操作機能付ディスプレイユニットであって、前記２枚の透光板は互いの外周部間に非透光性の部材を有しており、前記非透光性の部材の内周縁は、前記受光部よりも前記透光板の面内方向における中央側に位置していることを特徴とするタッチ操作機能付ディスプレイユニット。
【００１０】
このようなタッチ操作機能付ディスプレイユニットによれば、２枚の透光板の間に設けられている非透光性の部材の内周縁が、受光部よりも透光板の中央側に位置しているので、他方の透光板側からの光が非透光性の部材により遮られ受光部に進入しにくい。このため、他方の透光板側からの光によるＩＲセンサーの誤検知を防止することが可能である。
【００１１】
かかるタッチ操作機能付ディスプレイユニットであって、前記２枚の透光板間において前記有機ＥＬディスプレイによる表示領域の外側の領域は、非透光性の部材により覆われていることが望ましい。
【００１２】
このようなタッチ操作機能付ディスプレイユニットによれば、有機ＥＬディスプレイによる表示領域の外側の領域において２枚の透光板間に備えられているものが外部から視認されることを防止することが可能である。
【００１３】
かかるタッチ操作機能付ディスプレイユニットであって、前記非透光性の部材は、シート状の部材であることが望ましい。
このようなタッチ操作機能付ディスプレイユニットによれば、非透光性の部材はシート状の部材なのでシート状の部材を接着するだけで２枚の透光板間に備えられているものが外部から視認されることを防止することが可能である。
【００１４】
かかるタッチ操作機能付ディスプレイユニットであって、前記ＩＲセンサーからの信号により検知される位置情報と、前記有機ＥＬディスプレイ上の位置と、が対応付けられていることが望ましい。
【００１５】
このようなタッチ操作機能付ディスプレイユニットによれば、有機ＥＬディスプレイと対面する一方の透光板にタッチすることにより、有機ＥＬディスプレイに表示された画像等の位置を特定することが可能である。
【００１６】
かかるタッチ操作機能付ディスプレイユニットであって、前記他方の透光板は、Ｌｏｗ−Ｅガラスであることが望ましい。
このようなタッチ操作機能付ディスプレイユニットによれば、２枚の透光板のうちの他方はＬｏｗ−Ｅガラスなので、温度の上昇が抑えられる。このため、有機ＥＬディスプレイ及びＩＲセンサーの熱による損傷を防止することが可能である。
【００１７】
また、上記タッチ操作機能付ディスプレイユニットの周端部が框に収容されていることを特徴とする障子である。
このような障子によれば、厚みがより薄く、外形寸法もより小さなタッチ操作機能付ディスプレイユニットを備え、框がより小さな障子を提供することが可能である。
【００１８】
かかる障子であって、前記ＩＲセンサーは、上下方向において対向する前記発光部材と前記受光部材とのうちの前記受光部材が上側に配置されていることが望ましい。
障子は据え付けた際に、上方からの光を受けやすい。このため、上記障子によれば、ＩＲセンサーの受光部材が上側に配置されている、すなわち受光部が下方に向けられているので、上方からの光による誤検知を防止することが可能である。
【００１９】
かかる障子であって、前記框は合成樹脂製であることが望ましい。
このような障子によれば、框の熱伝導による温度の上昇を抑えられる。このため、有機ＥＬディスプレイ及びＩＲセンサーの熱による損傷を防止することが可能である。また、室内の温度変化も抑えることが可能である。
【００２０】
また、上記タッチ操作機能付ディスプレイユニットを備え、躯体に固定される窓枠に支持されていることを特徴とする建具である。
このような建具によれば、厚みがより薄く、外形寸法もより小さなタッチ操作機能付ディスプレイユニットを備え、框がより小さな障子を備えた建具を提供することが可能である。
【００２１】
かかる建具であって、前記窓枠は合成樹脂製であることが望ましい。
このような建具によれば、窓枠の熱伝導による温度の上昇を抑えられる。このため、有機ＥＬディスプレイ及びＩＲセンサーの熱による損傷を防止することが可能である。また、室内の温度変化も抑えることが可能である。
【発明の効果】
【００２２】
本発明によれば、有機ＥＬディスプレイと発光部及び受光部等とがより薄く積層されているタッチ操作機能付ディスプレイユニット、障子及び建具を提供することが可能である。
【図面の簡単な説明】
【００２３】
【図１】本実施形態に係る建具を示す内観図である。
【図２】本実施形態に係る建具を示す縦断面図である。
【図３】本実施形態に係る建具を示す横断面図である。
【図４】発光部の構成を示す断面図である。
【図５】タッチ操作機能付ディスプレイユニットを備えた辷り出し窓用の建具を示す横断面図である。
【発明を実施するための形態】
【００２４】
以下、本発明の一実施形態に係るタッチ操作機能付ディスプレイユニット、障子及び建具について図面を参照して説明する。
本実施形態では、例えば、図１〜図３に示すようなＦＩＸ窓用の建具１にタッチ操作機能付ディスプレイユニット１０が備えられている例について説明する。
【００２５】
以下の説明においては、建物等に取り付けられた状態の建具１を、室内側から見たときに、上下となる方向を上下方向、左右となり建具１の幅となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００２６】
本実施形態の建具１は、透光性を有する２枚の透光板としての無色透明なガラス板１１、１２を用いて形成された複層ガラスの２枚のガラス板１１、１２間に透光性を有する有機ＥＬディスプレイ１３が設けられ、外周にＩＲセンサー９が設けられているタッチ操作機能付ディスプレイユニット１０と、躯体５に固定されてタッチ操作機能付ディスプレイユニット１０の外周端部を収容して保持する窓枠２と、を有している。
【００２７】
窓枠２は、押出成型材でなる枠部材３を適宜長さにて切断した４本の枠部材３を長方形状に枠組みして形成され、タッチ操作機能付ディスプレイユニット１０を保持するための押縁４を有している。４本の枠部材３は、端部が長手方向に対して４５度をなすように斜めに切断され、互いに隣接する枠部材３の端部同士を突き合わされて溶着されている。
【００２８】
４本の枠部材３は、断面形状が同一でありタッチ操作機能付ディスプレイユニット１０の外周端部を収容している状態も同様なので、窓枠２を構成する各枠部材３の構造については、タッチ操作機能付ディスプレイユニット１０の下側に配置されて下端を収容する下側の枠部材３を例に挙げて説明する。以下の説明においては、各枠部材３に共通するように、４本の枠部材３が長方形状に枠組みされた状態で、窓枠２に囲まれた空間側を内周側、反対側を外周側として説明する。すなわち、下側の枠部材３の上側が内周側に相当し、下側が外周側に相当する。
【００２９】
下側の枠部材３は、長手方向に沿う中空部３ａを有する枠部材本体部３ｂと、枠部材本体部３ｂの室内側の部位から内周側に突出する内周突出部３ｃと、枠部材本体部３ｂから外周側に延出されて躯体５に固定されるヒレ状の躯体固定部３ｄと、を有している。枠部材本体部３ｂの内周面の室外側には、内周突出部３ｃとともにタッチ操作機能付ディスプレイユニット１０の外周端部を挟持する押縁４が嵌合されている。
【００３０】
タッチ操作機能付ディスプレイユニット１０は、２枚の長方形状をなすガラス板１１、１２と、２枚のガラス板１１、１２のうちの一方のガラス板１２の外周部に設けられるＩＲセンサー９と、２枚のガラス板１１、１２の間に介在され枠状に配置されるスペーサー１４と、枠状をなすスペーサー１４の内側に配置される有機ＥＬディスプレイ１３と、外周部に設けられている金属製のユニット枠１５と、を有している。
【００３１】
タッチ操作機能付ディスプレイユニット１０が備える２枚のガラス板１１、１２は、一方の面にＬｏｗ−Ｅ膜を備えるＬｏｗ−Ｅガラス１１と、強化ガラス１２とである。強化ガラス１２は、Ｌｏｗ−Ｅガラス１１より小さく形成されており、外周部にＩＲセンサー９が設けられ、強化ガラス１２にＩＲセンサー９が設けられた状態で、Ｌｏｗ−Ｅガラス１１と同じ大きさをなしている。
【００３２】
ＩＲセンサー９は、発光部９１ａと受光部９２ａとが強化ガラス１２を介して対向するように、発光部９１ａを有する複数の発光部材９１と受光部９２ａを有する複数の受光部材９２とが、強化ガラス１２の外周を囲むように配置されて枠状をなしている。
【００３３】
図４に示すように、各々の発光部材９１は、発光部９１ａが強化ガラス１２の面外方向において、強化ガラス１２と対向しているＬｏｗ−Ｅガラス１１とは反対側に突出し、発光部９１ａを除く発光部材９１の一部が、強化ガラス１２と面内方向に隣接するように配置されている。発光部９１ａは、強化ガラス１２の端縁よりも面内方向内側に突出して強化ガラス１２の端部と見込み方向において重なる部位を有している。発光部材９１は、強化ガラス１２と重なっている部位が強化ガラス１２に接着されている。
【００３４】
受光部材９２の機械的構造は、図４に示す発光部材９１とほぼ同様であり、発光部材９１の発光素子９１ｂが受光素子に置き換わっている。各々の受光部材９２は、受光部９２ａが強化ガラス１２の面外方向において、強化ガラス１２と対向しているＬｏｗ−Ｅガラス１１とは反対側に突出し、受光部９２ａを除く受光部材９２の一部が、強化ガラス１２と面内方向に隣接するように配置されている。受光部９２ａは、強化ガラス１２の端縁よりも面内方向内側に突出して強化ガラス１２の端部と見込み方向において重なる部位を有している。受光部材９２は、強化ガラス１２と重なっている部位が強化ガラス１２に接着されている。
【００３５】
複数の発光部材９１は、長方形状をなす強化ガラス１２の長手方向に沿う２つの端縁のうちのいずれか一方の端縁、及び、短手方向に沿う２つの端縁のうちのいずれか一方の端縁に並べて配置されており、長手方向及び短手方向の他方の端縁に、発光部材９１と対向させて複数の受光部材９２が並べて配置されている。ＩＲセンサー９の外周部からは、当該ＩＲセンサー９と、電源を含む制御部としてのコントローラ（不図示）と、を繋ぐためのケーブル９ａが引き出されている。
【００３６】
Ｌｏｗ−Ｅガラス１１及び強化ガラス１２は各々、互いに対向する内側面に、シート状をなして透光性を有しない非透光性の部材としての黒色の非透光性フィルム１６が接着されている。
【００３７】
非透光性フィルム１６は、Ｌｏｗ−Ｅガラス１１及び強化ガラス１２の外形寸法とほぼ同じ寸法をなし、中央に、長方形状の開口１６ａが設けられている。このため、Ｌｏｗ−Ｅガラス１１及び強化ガラス１２は、中央に設けられた開口１６ａの外側の部位に、非透光性フィルム１６に覆われて透光性を有しない領域が設けられている。非透光性フィルム１６が設けられたＬｏｗ−Ｅガラス１１及び強化ガラス１２は、互い対向する外周端部間に金属製のスペーサー１４を介して対面されている。
【００３８】
スペーサー１４は、Ｌｏｗ−Ｅガラス１１の外周縁に沿って長方形をなす枠状に配置されており、長方形状に配置されたスペーサー１４に囲まれる内周側に有機ＥＬディスプレイ１３が設けられている。
【００３９】
有機ＥＬディスプレイ１３は、透光性を有して画像等を表示可能であり、長方形状をなして無色透明なディスプレイ本体１７と、ディスプレイ本体１７をスペーサー１４の内周側に位置させてスペーサー１４に固定するための金属製の固定金具１８と、を有している。
【００４０】
ディスプレイ本体１７は、スペーサー１４に囲まれた領域の面積とほぼ同じ面積を有し、長方形状の長手方向が上下方向に沿うよう配置される。ディスプレイ本体１７の左側の端部からは、当該ディスプレイ本体１７と、電源を含む制御部としてのコントローラ（不図示）と、を繋ぐためのフレキシブルフラットケーブル１７ａが引き出され、ディスプレイ本体１７の長手方向に沿って配置されユニット枠１５の下から外部に延出されている。
【００４１】
固定金具１８は、ディスプレイ本体１７の外周部分に当接され、ディスプレイ本体１７の大きさと同じ大きさの枠状をなしている。固定金具１８は、ディスプレイ本体１７の表面及び裏面にそれぞれ設けられ、ディスプレイ本体１７の外周部を両側から挟持するように設けられている。
【００４２】
ディスプレイ本体１７の外周部を両面側から固定金具１８により挟持した状態の厚みは、スペーサー１４の見込み方向の厚みとほぼ等しく形成されている。また、ディスプレイ本体１７を挟持した固定金具１８は、その側端面が、スペーサー１４の内周面と対向するように、有機ＥＬディスプレイ１３が配置される。この状態で、スペーサー１４の室内に臨む面と固定金具１８の室内に臨む面とは同一の平面をなし、スペーサー１４の室外に臨む面と固定金具１８の室外に臨む面とは同一の平面をなしている。
【００４３】
スペーサー１４及びスペーサー１４の内側に配置された有機ＥＬディスプレイ１３の固定金具１８は、非透光性フィルム１６を介してＬｏｗ−Ｅガラス１１と、強化ガラス１２及びＩＲセンサー９とに接着されて一体をなしている。すなわち、Ｌｏｗ−Ｅガラス１１と、強化ガラス１２との間には、非透光性の部材でなるスペーサー１４、固定金具１８、及び、非透光性フィルム１６が介在されており、これらスペーサー１４、固定金具１８、及び、非透光性フィルム１６のうち、非透光性フィルム１６の内周縁が、Ｌｏｗ−Ｅガラス１１及び強化ガラス１２の面内方向における最も中央側に位置し、ＩＲセンサー９の受光部９２ａよりも中央側に位置している。
【００４４】
Ｌｏｗ−Ｅガラス１１及び強化ガラス１２の間に有機ＥＬディスプレイ１３が配置された状態で、非透光性フィルム１６に設けられた開口１６ａは、ディスプレイ本体１７の外周に設けられている枠状の固定金具１８の内周より僅かに内側に形成されている。このため、開口１６ａより外周側に位置するスペーサー１４、固定金具１８及びフレキシブルフラットケーブル１７ａは、開口１６ａからは視認されない。
【００４５】
本実施形態においては、有機ＥＬディスプレイ１３において開口１６ａの外周側の領域Ｓが、有機ＥＬディスプレイ１３による表示領域の外側の領域に相当し、図１においては、グレーに着色して示している。すなわち、有機ＥＬディスプレイ１３による表示領域は、有機ＥＬディスプレイ１３により画像等を表示可能な領域ではなく、有機ＥＬディスプレイ１３により表示された画像等が開口１６ａを通して視認可能な領域を示している。
【００４６】
強化ガラス１２の外周に設けられたＩＲセンサー９は、強化ガラス１２の有機ＥＬディスプレイ１３と反対の外側面を操作者がタッチすることによるＩＲセンサー９の信号の変化により、操作者がタッチした位置を検知可能であり、有機ＥＬディスプレイ１３に表示される画像等の位置と対応付けられている。本実施形態のタッチ操作機能付ディスプレイユニット１０は、ＩＲセンサー９に囲まれた領域、すなわち強化ガラス１２のほぼ全域において位置を検知可能であるが、本実施形態のタッチ操作機能付ディスプレイユニット１０にて位置を検知する領域は、有機ＥＬディスプレイ１３による表示領域内に設定されている。このため、非透光性フィルム１６により覆われて透光性を有しない領域では、位置を検知しないように設定されている。
【００４７】
有機ＥＬディスプレイ１３及びＩＲセンサー９を備えたＬｏｗ−Ｅガラス１１及び強化ガラス１２の外周部は、断面がコ字状をなす枠材が長方形状に枠組みされたユニット枠１５に収容されている。タッチ操作機能付ディスプレイユニット１０は、Ｌｏｗ−Ｅガラス１１が室外側に位置するように、躯体５に固定された窓枠２に装着されてＦＩＸ窓を構成する。このとき、ＩＲセンサー９において上下方向に対向する発光部材９１及び受光部材９２は、受光部材９２が上側に位置するように配置される。
【００４８】
本実施形態のタッチ操作機能付ディスプレイユニット１０が窓枠２に保持されたＦＩＸ窓は、Ｌｏｗ−Ｅガラス１１、強化ガラス１２、及び、ディスプレイ本体１７のいずれもが透光性を有しているので、非透光性フィルム１６が有する開口１６ａの内側が素通しの窓をなしており、ディスプレイ本体１７に電力を供給すると共に、コントローラーを介して画像信号等を供給すると、素通しの窓部に所望の画像等を表示することが可能である。
【００４９】
また、室内側に配置された強化ガラス１２の外周部にＩＲセンサー９が配置されているので、室内側から強化ガラス１２をタッチするとＩＲセンサー９によりタッチされた位置が検知される。ＩＲセンサー９により検知される位置情報は、有機ＥＬディスプレイ１３に表示される画像等の位置と対応付けられており、ＩＲセンサー９と繋がったコントローラーにより画像等の位置に対応付けられたコンピュータプログラムが実行されて有機ＥＬディスプレイ１３に表示される画像等が変化するように構成されている。
【００５０】
本実施形態のタッチ操作機能付ディスプレイユニット１０によれば、ＩＲセンサー９が有する発光部材９１のうちの発光部９１ａ及び受光部材９２のうちの受光部９２ａが、強化ガラス１２の面外方向に突出しているので、発光部材９１及び受光部材９２の全体が強化ガラス１２の面外方向に突出する場合より突出量を小さくすることが可能である。このため、タッチ操作機能付ディスプレイユニット１０全体の厚みをより薄くすることが可能である。すなわち、有機ＥＬディスプレイ１３と発光部材９１及び受光部材９２とがより薄く積層されているタッチ操作機能付ディスプレイユニット１０を提供することが可能である。また、発光部材９１及び受光部材９２は、Ｌｏｗ−Ｅガラス１１より小さく形成されている強化ガラス１２と面内方向に並べて配置されているので、タッチ操作機能付ディスプレイユニット１０の外形形状もより小さく抑えることが可能である。
【００５１】
また、Ｌｏｗ−Ｅガラス１１と強化ガラス１２との間に設けられている非透光性フィルム１６の内周縁が、受光部９２ａよりもＬｏｗ−Ｅガラス１１及び強化ガラス１２の中央側に位置しているので、Ｌｏｗ−Ｅガラス１１側からの光が非透光性フィルム１６により遮られ受光部９２ａに進入しにくい。このため、Ｌｏｗ−Ｅガラス１１側からの光によるＩＲセンサー９の誤検知を防止することが可能である。
【００５２】
また、有機ＥＬディスプレイ１３による表示領域の外側の領域Ｓは、非透光性フィルム１６により覆われているので、有機ＥＬディスプレイ１３による表示領域の外側の領域ＳにおいてＬｏｗ−Ｅガラス１１と強化ガラス１２との間に備えられているものが外部から視認されることを防止することが可能である。また、表示される画像等における位置を検知可能な領域と検知不能な領域とを明確に区別することが可能である。
【００５３】
また、非透光性の部材を、シート状をなす非透光性フィルム１６としたのでＬｏｗ−Ｅガラス１１及び強化ガラス１２に非透光性フィルム１６を接着するだけで、表示される画像等における位置を検知不能な領域を明確に示すことが可能である。
【００５４】
また、有機ＥＬディスプレイ１３と対面する強化ガラス１２にタッチすることにより、有機ＥＬディスプレイ１３に表示された画像等の位置を特定することが可能である。
【００５５】
また、２枚のガラス板１１、１２のうちの一方をＬｏｗ−Ｅガラスとしたので、タッチ操作機能付ディスプレイユニット１０の温度の上昇が抑えられる。このため、有機ＥＬディスプレイ１３及びＩＲセンサー９の熱による損傷を防止することが可能である。
【００５６】
建具１に据え付けられたタッチ操作機能付ディスプレイユニット１０は、上方からの光を受けやすい。このため、上記建具１のようにＩＲセンサー９の受光部材９２が上側に配置されて受光部９２ａが下方に向けられていることにより、上方からの光によるＩＲセンサー９の誤検知を防止することが可能である。
【００５７】
上記実施形態においては、透光板としてガラス板１１、１２を用いた例について説明したが、これに限らず、例えばポリカーボネイトなどの合成樹脂製の板材であっても、透光性を有する板材であれば構わない。また、上記実施形態においては、タッチ操作機能付ディスプレイユニット１０が備える２枚のガラス板１１、１２のうちの一方をＬｏｗ−Ｅガラス１１としたが、いずれも強化ガラスを用いても構わない。
【００５８】
また、上記実施形態においては、Ｌｏｗ−Ｅガラス１１強化ガラス１２及び有機ＥＬディスプレイ１３を無色透明としたが、必ずしも無色でなくとも構わない。例えば、透光性を有する有色の透光板や、フロストガラスなど表面に処理が施されている透光板等であっても、有機ＥＬディスプレイ１３の表示が視認可能であれば構わない。
【００５９】
また、上記実施形態においては、非透光性を有する部材を非透光性フィルム１６としたが、これに限らず、例えば、Ｌｏｗ−Ｅガラス１１及び強化ガラス１２に塗料等を塗布することにより透光性を有しない領域を形成しても構わない。また、上記実施形態においては、非透光性フィルム１６の色を黒色としたが、これに限るものではない。
【００６０】
上記実施形態においては、タッチ操作機能付ディスプレイユニット１０が、躯体５に固定された窓枠２に支持されているＦＩＸ窓用の建具１を例に挙げて説明したがこれに限るものではない。例えば、図５に示すように、タッチ操作機能付ディスプレイユニット１０の周端部が框１９に収容された障子２０を構成し、当該障子２０が躯体５に固定される窓枠２１に支持されている辷り出し窓用の建具２２であっても、また、開き窓、内倒し窓、外倒し窓、引き違い窓などの建具であっても構わない。
【００６１】
この場合には、発光部材９１及び受光部材９２がより薄く積層されているタッチ操作機能付ディスプレイユニット１０を備え、框１９がより小さな障子２０及び当該障子２０を備えた建具２２を提供することが可能である。このとき、框１９及び窓枠２１を合成樹脂製とすると、框１９及び窓枠２１の熱伝導による温度の上昇を抑えられる。このため、有機ＥＬディスプレイ１３及びＩＲセンサー９の熱による損傷をより確実に防止することが可能である。また、タッチ操作機能付ディスプレイユニット１０を有する建具２２が備えられた室内の温度変化も抑えることが可能である。
【００６２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６３】
１  建具、２  窓枠、５  躯体、９  ＩＲセンサー、
１０  タッチ操作機能付ディスプレイユニット、１１  Ｌｏｗ−Ｅガラス(ガラス板)、１２  強化ガラス(ガラス板)、１３  有機ＥＬディスプレイ、
１６  非透光性フィルム、１９  框、２０  障子、２１  窓枠、２２  建具、
９１  発光部材、９１ａ  発光部、９２  受光部材、９２ａ  受光部、
Ｓ  表示領域の外側の領域、
【図１】
2019008213.tif 000003
【図２】
2019008213.tif 000004
【図３】
2019008213.tif 000005
【図４】
2019008213.tif 000006
【図５】
2019008213.tif 000007